(57)【要約】【課題】３Ｄ映像信号及び２Ｄ映像信号に係る画像処理を共通化することができる映像信号処理装置を提供する。【解決手段】映像信号入力部を介して入力された映像信号の形式を映像形式検出部で検出し、検出された映像信号の形式が３Ｄ映像信号である場合に同期信号タイミング生成部が同期信号を内挿するタイミングを生成し、生成されたタイミングに従って内挿同期信号生成部が左目用画像データと右目用画像データとの間に内挿する同期信号を生成し、映像信号出力部が入力された映像信号に生成された同期信号を内挿して出力するようにして、入力される３Ｄ映像信号を２Ｄ映像信号と同様の形式に変換し、２Ｄ映像信号と同様の処理で画像処理を行うことを可能にする。【選択図】図１
2014220702.tif 000002
【特許請求の範囲】
【請求項１】
映像信号を入力する入力手段と、
前記入力手段に入力された前記映像信号の形式を検出する検出手段と、
前記検出手段で検出された前記映像信号の形式が３Ｄ映像信号である場合に、左目用画像データと右目用画像データとの間に同期信号を内挿するタイミングを生成するタイミング生成手段と、
前記タイミング生成手段により生成されたタイミングに従って前記映像信号に内挿する同期信号を生成する信号生成手段と、
前記信号生成手段により生成された同期信号を内挿した映像信号を出力する出力手段とを有することを特徴とする映像信号処理装置。
【請求項２】
前記信号生成手段は、前記映像信号に内挿する垂直同期信号を生成することを特徴とする請求項１記載の映像信号処理装置。
【請求項３】
前記タイミング生成手段は、入力された前記映像信号の水平同期信号の数に基づいてタイミングを生成することを特徴とする請求項１又は２記載の映像信号処理装置。
【請求項４】
前記タイミング生成手段は、入力された前記映像信号のピクセルの数に基づいてタイミングを生成することを特徴とする請求項１又は２記載の映像信号処理装置。
【請求項５】
前記入力手段に入力された映像信号を一定期間遅延させる遅延手段を有し、
前記検出手段で検出された前記映像信号の形式が左目用画像データと右目用画像データとの間にブランキング期間が存在しない３Ｄ映像信号である場合には、前記遅延手段により前記映像信号を遅延して前記左目用画像データと前記右目用画像データとの間にブランキング期間を生成して同期信号を内挿することを特徴とする請求項１〜４の何れか１項に記載の映像信号処理装置。
【請求項６】
前記タイミング生成手段は、前記検出手段で検出された前記映像信号の形式がインターレースの３Ｄ映像信号である場合には、さらに奇数ラインの画像データと偶数ラインの画像データとの間に同期信号を内挿するタイミングを生成することを特徴とする請求項１〜５の何れか１項に記載の映像信号処理装置。
【請求項７】
映像信号を入力する入力工程と、
前記入力工程で入力された前記映像信号の形式を検出する検出工程と、
前記検出工程で検出された前記映像信号の形式が３Ｄ映像信号である場合に、左目用画像データと右目用画像データとの間に同期信号を内挿するタイミングを生成するタイミング生成工程と、
前記タイミング生成工程で生成されたタイミングに従って前記映像信号に内挿する同期信号を生成する信号生成工程と、
前記信号生成工程で生成された同期信号を内挿した映像信号を出力する出力工程とを有することを特徴とする映像信号処理方法。
【発明の詳細な説明】
【技術分野】
【０００１】
本発明は、映像信号処理装置及び映像信号処理方法に関する。
【背景技術】
【０００２】
近年、映画やホームＡＶ機器の分野において、立体視可能な映像（３Ｄ映像）を表示する機器が広く普及している。３Ｄ映像を表示する機器は、左目用画像及び右目用画像を交互に表示して液晶シャッタ等の機器を用いて左右それぞれの目で視聴させることにより立体視を実現している。３Ｄ映像を表示する機器の普及に伴い、３Ｄ映像信号の規格化も進んでいる。代表的な映像入出力インタフェイスであるＨＤＭＩ（登録商標）（High-Definition Multimedia Interface）では放送コンテンツの３Ｄ映像信号に関する規格が策定されている。ＨＤＭＩの規格では、左目用画像及び右目用画像の伝送方式として、フレームパッキング（Frame Packing）やトップアンドボトム（Top-and-Bottom）等の形式が規格化されている。左目用画像及び右目用画像が含まれる３Ｄ映像信号に対して、左目用画像フレームと右目用画像フレームを分離して画質改善のための処理を実行する技術が特許文献１に記載されている。
【先行技術文献】
【特許文献】
【０００３】
【特許文献１】特開２０１１−１３９３３６号公報
【発明の概要】
【発明が解決しようとする課題】
【０００４】
３Ｄ映像を表示する機器は、従来の２次元の映像（２Ｄ映像）の表示機能も必須である場合が多い。しかしながら、３Ｄ映像信号と２Ｄ映像信号は信号形式が異なる。例えば、３Ｄ映像信号では、単一の垂直同期期間内に左目用画像フレームと右目用画像フレームの２つのフレームを含むため、フレームの識別を行う必要がある。つまり、映像信号に応じて画像処理が異なるため、３Ｄ映像を表示する機器は、２Ｄ映像を表示する機能も備える場合、３Ｄ映像信号及び２Ｄ映像信号のそれぞれの形式に対応した画像処理装置を有する必要があり、コストアップの一因となる。
【０００５】
本発明の目的は、３Ｄ映像信号及び２Ｄ映像信号に係る画像処理を共通化することができる映像信号処理装置及び映像信号処理方法を提供することにある。
【課題を解決するための手段】
【０００６】
本発明に係る映像信号処理装置は、映像信号を入力する入力手段と、前記入力手段に入力された前記映像信号の形式を検出する検出手段と、前記検出手段で検出された前記映像信号の形式が３Ｄ映像信号である場合に、左目用画像データと右目用画像データとの間に同期信号を内挿するタイミングを生成するタイミング生成手段と、前記タイミング生成手段により生成されたタイミングに従って前記映像信号に内挿する同期信号を生成する信号生成手段と、前記信号生成手段により生成された同期信号を内挿した映像信号を出力する出力手段とを有することを特徴とする。
【発明の効果】
【０００７】
本発明によれば、入力される３Ｄ映像信号を２Ｄ映像信号と同様の形式に変換して画像処理を行うことが可能となり、３Ｄ映像信号及び２Ｄ映像信号に係る画像処理を共通化することができる。
【図面の簡単な説明】
【０００８】
【図１】第１の実施形態に係る映像信号処理装置の構成例を示す図である。
【図２】第１の実施形態における入出力映像信号の一例を示す図である。
【図３】第１の実施形態における処理手順の一例を示すフローチャートである。
【図４】第２の実施形態に係る映像信号処理装置の構成例を示す図である。
【図５】第２の実施形態における入出力映像信号の一例を示す図である。
【図６】第２の実施形態における処理手順の一例を示すフローチャートである。
【図７】第３の実施形態における入出力映像信号の一例を示す図である。
【図８】第４の実施形態における入出力映像信号の一例を示す図である。
【図９】本実施形態における映像信号処理装置を実現可能なコンピュータ機能を示す図である。
【発明を実施するための形態】
【０００９】
以下、本発明の実施形態を図面に基づいて説明する。
【００１０】
（第１の実施形態）
本発明の第１の実施形態について説明する。
図１は、第１の実施形態に係る映像信号処理装置１００の構成例を示すブロック図である。映像信号処理装置１００は、映像信号入力部１０１、映像形式検出部１０２、同期信号タイミング生成部１０３、同期信号内挿部１０４、及び映像信号出力部１０５を有する。映像信号処理装置１００は、映像信号出力部１０５を介して画像処理装置１１０に接続され、画像処理装置１１０は映像表示部１２０に接続される。
【００１１】
映像信号入力部１０１は、ビデオ入力インタフェイスであり、映像信号処理装置１００の外部から映像信号を入力する。例えば、映像信号入力部１０１は、ＨＤＭＩのデジタルビデオ信号規格のインタフェイスで構成され、各種の映像信号を入力する。映像信号入力部１０１には、立体視可能な映像（３Ｄ映像）を表示するための３Ｄ映像信号や２次元の映像（２Ｄ映像）の表示を表示するための２Ｄ映像信号が入力される。
【００１２】
映像形式検出部１０２は、映像信号入力部１０１に入力された映像信号の形式を検出する。例えば、本実施形態において映像形式検出部１０２は、映像信号入力部１０１に入力されている映像信号がフレームパッキング（Frame Packing）形式の３Ｄ映像信号であることを検出する。同期信号タイミング生成部１０３は、映像形式検出部１０２で入力映像信号が３Ｄ映像信号であることが検出された場合に、入力される映像信号から同期信号を内挿するタイミングを生成する。本実施形態では、同期信号タイミング生成部１０３は、入力されたフレームパッキング形式の３Ｄ映像信号の水平同期信号をカウントすることで垂直同期信号を内挿するタイミングを生成する。
【００１３】
内挿同期信号生成部１０４は、同期信号タイミング生成部１０３で生成されたタイミングを基に内挿同期信号を生成する。本実施形態において、生成される内挿同期信号は垂直同期信号とする。映像信号出力部１０５は、入力された映像信号に内挿同期信号生成部１０４で生成された内挿同期信号を合わせた映像信号を出力する。すなわち、映像信号出力部１０５は、入力される映像信号に、生成された内挿同期信号を内挿して出力する。
【００１４】
画像処理装置１１０は、映像処理信号装置１００から出力された映像信号に所定の画像処理を施して出力する。映像表示部１２０は、画像処理装置１１０から出力された映像信号に係る映像を表示する。映像表示部１２０は、例えばＬＣＤ（液晶ディスプレイ）やＰＤＰ（プラズマディスプレイ）等の表示パネルである。
【００１５】
図２は、第１の実施形態に係る映像信号処理装置１００において入出力される映像信号の一例を示す図である。図２（Ａ）に映像信号処理装置１００に入力される３Ｄ映像信号を示し、図２（Ｂ）に映像信号処理装置１００から出力される３Ｄ映像信号を示し、図２（Ｃ）に映像信号処理装置１００内の内部信号を示している。本実施形態では、映像信号処理装置１００に入力される３Ｄ映像信号は、ＨＤＭＩで規格化されているフレームパッキング形式のフルＨＤ３Ｄ映像信号とする。
【００１６】
図２（Ａ）に入力映像信号２００として示すように、フレームパッキング形式の３Ｄ映像信号は、例えば１９２０×１０８０の左目用画像データ２０１及び右目用画像データ２０２が１つの１９２０×２１６０のフレームとして入力されるフォーマットである。左目用画像データ２０１と右目用画像データ２０２の間には、アクティブスペース２０３と呼ばれる画像データを含まないブランキング期間が存在する。垂直同期信号２０４は、左目用画像データ２０１に係る期間と右目用画像データ２０２に係る期間と垂直ブランキング期間とアクティブスペース２０３の期間との和の周期で入力される。また、水平同期信号２０５は、水平１ラインの期間と水平ブランキング期間の和の周期で入力される。
【００１７】
本実施形態では、図２（Ａ）に示す入力映像信号２００から、図２（Ｂ）に示す出力映像信号２１０を生成する。図２（Ｂ）に示すように、出力映像信号２１０は、アクティブスペース２１３の間に垂直同期信号２１６が内挿された映像信号である。なお、垂直同期信号２１４は、入力映像信号２００の垂直同期信号２０４に対応する信号であり、水平同期信号２１５は、入力映像信号２００の水平同期信号２０５に対応する信号である。
【００１８】
出力映像信号２１０のように左目用画像データ２１１と右目用画像データ２１２の間に垂直同期信号２１６を内挿することにより、２Ｄ映像信号と同様に１つの垂直同期期間内に１つのフレームが入力された信号となる。すなわち、本実施形態によれば、入力されるフレームパッキング形式の３Ｄ映像信号を簡便な方法でフルＨＤの２Ｄ映像信号と同様の形式に変換し、２Ｄ映像信号と同様の処理で画像処理を行うことが可能となる。したがって、映像信号に応じた特殊な画像処理を有することなく、３Ｄ映像信号及び２Ｄ映像信号に係る画像処理を共通化することができ、コストを低減することができる。なお、図２（Ｃ）に示す内部信号に関する説明は後述する。
【００１９】
次に、第１の実施形態に係る映像信号処理装置１００の動作について説明する。
図３（Ａ）は映像形式検出部１０２の処理手順を示すフローチャートであり、図３（Ｂ）は同期信号タイミング生成部１０３の処理手順を示すフローチャートである。以下、図３（Ａ）及び図３（Ｂ）に示したフローチャート、図２（Ａ）に示した入力映像信号、図２（Ｂ）に示した出力映像信号、及び図２（Ｃ）に示した内部信号を適宜参照して説明する。
【００２０】
まず、映像信号処理装置１００の映像形式検出部１０２が処理を開始すると（Ｓ３０１）、ステップＳ３０２にて、映像形式検出部１０２は、映像信号入力部１０１に入力された入力映像信号の形式を検出する。次に、ステップＳ３０３にて、映像形式検出部１０２は、ステップＳ３０２での検出結果を基に、入力映像信号の形式が３Ｄ映像信号であるか否かを判断する。本実施形態では、入力映像信号の形式がフレームパッキング形式のフルＨＤの３Ｄ映像信号であるか否かを判断するものとする。
【００２１】
判断の結果、入力映像信号の形式がフレームパッキング形式のフルＨＤの３Ｄ映像信号であれば（Ｓ３０３のＹ）、ステップＳ３０４に遷移する。ステップＳ３０４にて、映像形式検出部１０２は、検出した３Ｄ映像信号の形式を同期信号タイミング生成部１０３に通知し、ステップＳ３０２に戻る。なお、ステップＳ３０３での判断の結果、入力映像信号の形式が３Ｄ映像信号でない場合には（Ｓ３０３のＮ）、映像信号処理装置１００は、入力された映像信号に処理を施さずにそのまま出力するので、映像信号の形式を検出するステップＳ３０２に戻る。
【００２２】
次に、同期信号タイミング生成部１０３での処理について説明する。
映像信号処理装置１００の同期信号タイミング生成部１０３が処理を開始すると（Ｓ３２１）、ステップＳ３２２にて、同期信号タイミング生成部１０３は、映像形式検出部１０２が検出した入力映像信号の形式を確認する。次に、ステップＳ３２３にて、同期信号タイミング生成部１０３は、映像形式検出部１０２が検出した入力映像信号の形式が３Ｄ映像信号であるか否かを判断する。
【００２３】
判断の結果、映像形式検出部１０２が検出した入力映像信号の形式がフレームパッキング形式のフルＨＤの３Ｄ映像信号である場合には（Ｓ３２３のＹ）、ステップＳ３２４に遷移する。一方、判断の結果、映像形式検出部１０２が検出した入力映像信号の形式が３Ｄ映像信号でない場合には（Ｓ３２３のＮ）、同期信号タイミング生成部１０３は、入力映像信号の形式を確認するステップＳ３２２に戻る。したがって、入力映像信号の形式が３Ｄ映像信号でない場合には、映像信号処理装置１００は入力された映像信号に処理を施さない。
【００２４】
ステップＳ３２４にて、同期信号タイミング生成部１０３は、映像信号入力部１０１から入力される垂直同期信号の有無を確認する。映像信号入力部１０１は、受信した入力映像信号から、内部信号１０６として図２（Ｃ）に示した垂直同期信号ＶＳ、水平同期信号ＨＳ、及び映像データＤＡＴを、同期信号タイミング生成部１０３及び映像信号出力部１０５に対して出力する。つまり、ステップＳ３２４にて、同期信号タイミング生成部１０３は、内部信号１０６の垂直同期信号ＶＳの有無を確認する。
【００２５】
次に、ステップＳ３２５にて、同期信号タイミング生成部１０３は、内部信号１０６の垂直同期信号ＶＳを検出したか否かを判断する。判断の結果、内部信号１０６の垂直同期信号ＶＳを検出していた場合には（Ｓ３２５のＹ）、ステップＳ３２６に遷移する。一方、内部信号１０６の垂直同期信号ＶＳを検出していない場合には（Ｓ３２５のＮ）、ステップＳ３２４に遷移し、同期信号タイミング生成部１０３は、ステップＳ３２４〜Ｓ３２５の処理を繰り返して入力映像信号の垂直同期信号ＶＳを待つ。例えば、図２（Ｃ）に示した状態Ｔ２０６において垂直同期信号２３４を検知すると、ステップＳ３２６に遷移する。
【００２６】
ステップＳ３２６にて、同期信号タイミング生成部１０３は、内部信号１０６の水平同期信号ＨＳのカウントを開始する。同期信号タイミング生成部１０３は、映像信号入力部１０１からの内部信号１０６の垂直同期信号ＶＳを検知した時点でカウント値をゼロにし、内部信号１０６の水平同期信号ＨＳを検出した時にカウント値に１を加算する。
【００２７】
次に、ステップＳ３２７にて、同期信号タイミング生成部１０３は、水平同期信号ＨＳのカウント値を確認する。例えば、入力される映像信号２００のブランキング終了時Ｔ２０７の時点では、ブランキング期間のライン数（水平同期信号の数）が３２とすると、カウント値も３２となる。続いて、ステップＳ３２８にて、同期信号タイミング生成部１０３は、水平同期信号ＨＳのカウント値が所定の値に達したか否かを判断し、カウント値が所定の値に達した場合にはステップＳ３２９に遷移し、そうでない場合にはステップＳ３２７に戻る。本実施形態では、一例として所定のカウント値は１１２８とする。この所定のカウント値は、左目用画像の有効ライン数である１０８０とブランキング期間２０９のライン数とアクティブスペース２０３のライン数の１／２との和に相当する。
【００２８】
例えば、ブランキング終了時Ｔ２０７の時点では、カウント値は３２であるので所定のカウント値である１１２８には達しておらずステップＳ３２７に戻る。再び、ステップＳ３２７にて、同期信号タイミング生成部１０３は、水平同期信号ＨＳのカウント値を確認する。例えば、映像信号入力部１０１に入力される入力映像信号が状態Ｔ２０８の時点で、カウント値は１１２８となる。そして、ステップＳ３２８にて、同期信号タイミング生成部１０３は、水平同期信号ＨＳのカウント値が所定の値に達したか否かを判断し、カウント値が所定の値に達しているので、ステップＳ３２９に遷移する。
【００２９】
ステップＳ３２９にて、同期信号タイミング生成部１０３は、内挿同期信号生成部１０４に内挿する垂直同期信号の生成を要求する。この要求を受けた内挿同期信号生成部１０４は、内挿する垂直同期信号ＶＳＩを生成し、映像信号出力部１０５に内部信号１０７として出力する。例えば、Ｔ２０８の時点で、内挿同期信号生成部１０４は、映像信号出力部１０５に垂直同期信号２１７を出力する。映像信号出力部１０５は、映像信号入力部１０１から入力された垂直同期信号ＶＳと内挿同期信号生成部１０４からの内挿垂直同期信号ＶＳＩを論理和して、出力信号１０８の垂直同期信号ＶＳを生成し出力する。このようにすることで、図２（Ｂ）に示した出力映像信号２１０のように、映像信号出力部１０５は、左目用画像データ２１１と右目用画像データ２１２の間に垂直同期信号２１６のある映像信号を出力することができる。
【００３０】
なお、本実施形態では垂直同期信号を内挿するタイミングを水平同期信号のカウント値に基づいて生成しているが、入力映像信号のピクセルをカウントする等の他の方法で同期信号を内挿するタイミングを生成するようにしても良い。また、本実施形態では同期信号を内挿するタイミングを生成するためのカウント動作を開始するタイミングを垂直同期信号の受信を基としているが、入力映像信号のアクティブ期間を示す信号を用いる方法であっても良い。以下に説明する各実施形態についても同様である。
【００３１】
本実施形態における所定のカウント値は、左目用画像の有効ライン数とブランキング期間のライン数とアクティブスペースのライン数の１／２との和としたが、このカウント値を変更することにより垂直同期信号を内挿するタイミングを変更することが可能である。例えば、カウント値を左目用画像の有効ライン数１０８０とブランキング期間２０９のライン数とアクティブスペース２０３のライン数の１／３との和とすると、右目用画像のバックポーチのブランキング期間を長くすることができる。このようにすることで後段に接続されている画像処理装置１１０の同期信号のタイミング制約を満たす映像信号を出力することができる。
【００３２】
（第２の実施形態）
次に、本発明の第２の実施形態について説明する。
前述した第１の実施形態では、入力されたフレームパッキング形式の３Ｄ映像信号において左目用画像データと右目用画像データとの間にあるアクティブスペース内に垂直同期信号を内挿する例を示した。第２の実施形態では、左目用画像データと右目用画像データとの間にアクティブスペースがないトップアンドボトム（Top-and-Bottom）と呼ばれる形式の３Ｄ映像信号を処理する例を示す。
【００３３】
図４は、第２の実施形態に係る映像信号処理装置４００の構成例を示すブロック図である。この図４において、図１に示した構成要素と同一の機能を有する構成要素には同一の符号を付し、重複する説明は省略する。第２の実施形態に係る映像信号処理装置４００は、映像信号入力部１０１と映像信号出力部１０５との間に映像信号遅延部４０１を有する。映像信号遅延部４０１は、入力された映像信号を一定期間遅延させ、映像信号出力部１０５に出力する。例えば、映像信号遅延部４０１は、ラインバッファもしくはフレームバッファ等で実装されており、入力された映像信号を一時的に蓄えて一定期間後に出力する機能を有する。
【００３４】
同期信号タイミング生成部４０３は、映像形式検出部１０２で入力映像信号が３Ｄ映像信号であることが検出された場合に、入力される映像信号から同期信号を内挿するタイミングを生成し通知する。また、同期信号タイミング生成部４０３は、映像信号遅延部４０１に対し、映像信号を出力するタイミングを通知する機能を有する。
【００３５】
図５は、第２の実施形態に係る映像信号処理装置４００において入出力される映像信号の一例を示す図である。図５（Ａ）に映像信号処理装置４００に入力される３Ｄ映像信号を示し、図５（Ｂ）に映像信号処理装置４００から出力される３Ｄ映像信号を示し、図５（Ｃ）に映像信号処理装置４００内の内部信号を示している。本実施形態では、映像信号処理装置４００に入力される３Ｄ映像信号は、ＨＤＭＩで規格化されているトップアンドボトム形式の３Ｄ映像信号とする。トップアンドボトム形式の３Ｄ映像信号は、フルＨＤの垂直解像度が半分の左目用画像データ５０１及び右目用画像データ５０２を有し、左目用画像データ５０１と右目用画像データ５０２との間にはブランキング期間が存在しない形式である。
【００３６】
本実施形態では、図５（Ａ）に示す入力映像信号５００から、図５（Ｂ）に示す出力映像信号５２０を生成する。図５（Ｂ）に示すように、出力映像信号５２０は、左目用画像データ５２１と右目用画像データ５２２との間にブランキング期間５２３があり、そのブランキング期間５２３において垂直同期信号５２６が内挿された映像信号である。なお、垂直同期信号５２４は、入力映像信号５００の垂直同期信号５０４に対応する信号であり、水平同期信号５２５は、入力映像信号５００の水平同期信号５０５に対応する信号である。
【００３７】
出力映像信号５２０のように左目用画像データ５２１と右目用画像データ５２２の間に垂直同期信号５２６があることで、２Ｄ映像信号と同様に１つの垂直同期期間内に１つのフレームが入力された信号となる。すなわち、本実施形態によれば、入力されるトップアンドボトム形式の３Ｄ映像信号を２Ｄ映像信号と同様の形式に変換し、２Ｄ映像信号と同様の処理で画像処理を行うことが可能となる。したがって、映像信号に応じた特殊な画像処理を有することなく、３Ｄ映像信号及び２Ｄ映像信号に係る画像処理を共通化することができ、コストを低減することができる。なお、図５（Ｃ）に示す内部信号に関する説明は後述する。
【００３８】
次に、第２の実施形態に係る映像信号処理装置４００の動作について説明する。
図６（Ａ）は映像形式検出部１０２の処理手順を示すフローチャートであり、図６（Ｂ）は同期信号タイミング生成部４０３の処理手順を示すフローチャートである。以下、図６（Ａ）及び図６（Ｂ）に示したフローチャート、図５（Ａ）に示した入力映像信号、図５（Ｂ）に示した出力映像信号、及び図５（Ｃ）に示した内部信号を適宜参照して説明する。
【００３９】
まず、映像信号処理装置４００の映像形式検出部１０２が処理を開始すると（Ｓ６０１）、ステップＳ６０２にて、映像形式検出部１０２は、映像信号入力部１０１に入力された入力映像信号の形式を検出する。次に、ステップＳ６０３にて、映像形式検出部１０２は、ステップＳ６０２での検出結果を基に、入力映像信号の形式が３Ｄ映像信号であるか否かを判断する。本実施形態では、入力映像信号の形式がトップアンドボトム形式の３Ｄ映像信号であるか否かを判断するものとする。
【００４０】
判断の結果、入力映像信号の形式がトップアンドボトム形式の３Ｄ映像信号であれば（Ｓ６０３のＹ）、ステップＳ６０４に遷移する。ステップＳ６０４にて、映像形式検出部１０２は、検出した３Ｄ映像信号の形式を同期信号タイミング生成部１０３に通知し、ステップＳ６０２に戻る。なお、ステップＳ６０３での判断の結果、入力映像信号の形式が３Ｄ映像信号でない場合には（Ｓ６０３のＮ）、映像信号処理装置４００は、入力された映像信号に処理を施さずにそのまま出力するので、映像信号の形式を検出するステップＳ６０２に戻る。
【００４１】
次に、同期信号タイミング生成部４０３での処理について説明する。
映像信号処理装置４００の同期信号タイミング生成部４０３が処理を開始すると（Ｓ６２１）、ステップＳ６２２にて、同期信号タイミング生成部４０３は、映像形式検出部１０２が検出した入力映像信号の形式を確認する。次に、ステップＳ６２３にて、同期信号タイミング生成部４０３は、映像形式検出部１０２が検出した入力映像信号の形式が３Ｄ映像信号であるか否かを判断する。
【００４２】
判断の結果、映像形式検出部１０２が検出した入力映像信号の形式がトップアンドボトム形式の３Ｄ映像信号である場合には（Ｓ６２３のＹ）、ステップＳ６２４に遷移する。一方、判断の結果、映像形式検出部１０２が検出した入力映像信号の形式が３Ｄ映像信号でない場合には（Ｓ６２３のＮ）、同期信号タイミング生成部４０３は、入力映像信号の形式を確認するステップＳ６２２に戻る。したがって、入力映像信号の形式が３Ｄ映像信号でない場合には、映像信号処理装置４００は入力された映像信号に処理を施さない。
【００４３】
ここで、映像信号入力部１０１は、受信した入力映像信号から、内部信号４０６として図５（Ｃ）に示した垂直同期信号ＶＳ、水平同期信号ＨＳ、及び映像データＤＡＴを、同期信号タイミング生成部４０３及び映像信号遅延部４０１に対して出力している。ステップＳ６２４にて、同期信号タイミング生成部４０３は、映像信号入力部１０１から内部信号４０６として入力される垂直同期信号ＶＳの有無を確認する。
【００４４】
次に、ステップＳ６２５にて、同期信号タイミング生成部４０３は、内部信号４０６の垂直同期信号ＶＳを検出したか否かを判断し、検出していれば（Ｙ）、ステップＳ６２６に遷移し、検出していなければ（Ｎ）、ステップＳ６２４に遷移する。例えば、図５（Ｃ）に示した例において垂直同期信号５３４を検知すると、ステップＳ６２６に遷移する。ステップＳ６２６にて、同期信号タイミング生成部４０３は、内部信号４０６の水平同期信号ＨＳのカウントを開始する。同期信号タイミング生成部４０３は、映像信号入力部１０１からの内部信号４０６の垂直同期信号ＶＳを検知した時点でカウント値をゼロにし、内部信号４０６の水平同期信号ＨＳを検出した時にカウント値に１を加算する。
【００４５】
次に、ステップＳ６２７にて、同期信号タイミング生成部４０３は、水平同期信号ＨＳのカウント値を確認する。続いて、ステップＳ６２８にて、同期信号タイミング生成部４０３は、水平同期信号ＨＳのカウント値が所定の値に達したか否かを判断し、カウント値が所定の値に達した場合にはステップＳ６２９に遷移し、そうでない場合にはステップＳ６２７に戻る。本実施形態では、一例としてステップＳ６２８における所定のカウント値は、ブランキング期間５０３と左目用画像データ５０１とにある水平同期信号ＨＳの数の和とする。例えば、入力映像信号が状態Ｔ５６０の時点で水平同期信号ＨＳのカウント値が所定の値に達し、ステップＳ６２９に遷移する。
【００４６】
ステップＳ６２９にて、同期信号タイミング生成部４０３は、映像信号遅延部４０１に対して映像信号の出力の遅延を開始させることを通知する。映像信号遅延部４０１は、同期信号の検知から左目用画像データ５０１の出力完了までは遅延させることなく映像信号を出力し、状態Ｔ５６０から同期信号タイミング生成部４０３の通知により映像信号の遅延を開始する。映像信号遅延部４０１は、この時点から右目用画像データ５０２の入力を受けつつ出力は水平同期信号のみを出力する。
【００４７】
次に、ステップＳ６３０にて、同期信号タイミング生成部４０３は、水平同期信号ＨＳのカウント値を確認する。続いて、ステップＳ６３１にて、同期信号タイミング生成部４０３は、水平同期信号ＨＳのカウント値が所定の値に達したか否かを判断し、カウント値が所定の値に達した場合にはステップＳ６３２に遷移し、そうでない場合にはステップＳ６３０に戻る。本実施形態では、一例としてステップＳ６３１における所定のカウント値は、左目用画像データ５０１のライン数とブランキング期間５１０のライン数の１／４との和とする。例えば、状態Ｔ５６１の時点で、水平同期信号ＨＳのカウント値が所定の値に達したとすると、ステップＳ６３２に遷移する。
【００４８】
ステップＳ６３２にて、同期信号タイミング生成部４０３は、内挿同期信号生成部１０４に内挿する垂直同期信号の生成を要求する。この要求を受けた内挿同期信号生成部１０４は、内挿する垂直同期信号ＶＳＩを生成し、映像信号出力部１０５に内部信号４０７として出力する。例えば、状態Ｔ５６１の時点で、内挿同期信号生成部１０４は、映像信号出力部１０５に垂直同期信号５４７を出力する。映像信号出力部１０５は、映像信号遅延から出力された垂直同期信号ＶＳと内挿同期信号生成部１０４からの内挿垂直同期信号ＶＳＩを論理和して、出力信号４０８の垂直同期信号ＶＳを生成し出力する。
【００４９】
次に、ステップＳ６３３にて、同期信号タイミング生成部４０３は、水平同期信号ＨＳのカウント値を確認する。続いて、ステップＳ６３４にて、同期信号タイミング生成部４０３は、水平同期信号ＨＳのカウント値が所定の値に達したか否かを判断し、カウント値が所定の値に達した場合にはステップＳ６３５に遷移し、そうでない場合にはステップＳ６３３に戻る。本実施形態では、一例としてステップＳ６３４における所定のカウント値は、左目用画像データ５０１の垂直ライン数とブランキング期間５１０のライン数の１／２との和とする。例えば、状態Ｔ５６２の時点で、水平同期信号ＨＳのカウント値が所定の値に達したとすると、ステップＳ６３５に遷移する。
【００５０】
ステップＳ６３５にて、同期信号タイミング生成部４０３は、映像信号遅延部４０１に対して、映像信号の出力を開始させることを通知する。映像信号遅延部４０１は、入力されていた右目用画像データ５２２の出力を、状態Ｔ５６２の時点から開始する。映像信号遅延部４０１は、状態Ｔ５６２の時点から遅延時間を保ちながら映像信号出力部１０５に対して映像信号を出力する。このようにすることで、図５（Ｂ）に示した出力映像信号５２０のように、映像信号出力部１０５は、左目用画像データ５２１と右目用画像データ５２２の間にブランキング期間５２３を作成し、垂直同期信号５２２を内挿した映像信号を出力することができる。
【００５１】
（第３の実施形態）
次に、本発明の第３の実施形態について説明する。
前述した第１の実施形態では、入力される３Ｄ映像信号がプログレッシブのフレームパッキング形式の３Ｄ映像信号である例を示した。第３の実施形態では、入力される３Ｄ映像信号がインターレースのフレームパッキング形式の３Ｄ映像信号である場合について説明する。なお、第３の実施形態に係る映像信号処理装置の構成は、第１の実施形態に係る映像信号処理装置１００と同様であるので、その説明は省略する。
【００５２】
図７は、第３の実施形態に係る映像信号処理装置において入出力される映像信号の一例を示す図である。図７（Ａ）に映像信号処理装置に入力される３Ｄ映像信号を示し、図７（Ｂ）に映像信号処理装置から出力される３Ｄ映像信号を示し、図７（Ｃ）に映像信号処理装置内の内部信号を示している。本実施形態では、映像信号処理装置に入力される３Ｄ映像信号は、ＨＤＭＩで規格化されているインターレースのフレームパッキング形式のフルＨＤ３Ｄ映像信号とする。
【００５３】
インターレースのフレームパッキング形式の３Ｄ映像信号は、図７（Ａ）に入力映像信号７００として示すように入力されるフォーマットである。すなわち、左目用画像データの奇数（ｏｄｄ）ライン７０１、右目用画像データの奇数ライン７０２、左目用画像データの偶数（ｅｖｅｎ）ライン７０３、及び右目用画像データの偶数ライン７０４が１フレームとして入力される。それぞれの画像データ間には、画像データを含まないアクティブスペース７０５、７０６、７０７が存在する。
【００５４】
本実施形態では、図７（Ａ）に示す入力映像信号７００から、図７（Ｂ）に示す出力映像信号７２０を生成する。図７（Ｂ）に示すように、出力映像信号７２０は、各アクティブスペース７２５、７２６、７２７の間に垂直同期信号７７０、７７１、７７２が内挿された映像信号である。なお、垂直同期信号７２９は、入力映像信号７００の垂直同期信号７０９に対応する信号であり、水平同期信号７２８は、入力映像信号７００の水平同期信号７２８に対応する信号である。
【００５５】
出力映像信号７２０のように各アクティブスペース７２５、７２６、７２７間に垂直同期信号７７０、７７１、７７２を内挿することにより、２Ｄ映像信号と同様に１つの垂直同期期間内に１つのフレームが入力された信号となる。本実施形態によれば、入力される３Ｄ映像信号を２Ｄ映像信号と同様の処理で画像処理を行うことが可能となり、３Ｄ映像信号及び２Ｄ映像信号に係る画像処理を共通化することができ、コストを低減することができる。
【００５６】
本実施形態における映像形式検出部１０２及び同期信号タイミング生成部１０３の処理手順は、第１の実施形態とほぼ同様であるので図示を省略する。第３の実施形態における処理手順は、図３（Ｂ）に示したステップＳ３２６〜Ｓ３２９の処理を各アクティブスペース７２５、７２６、７２７に合わせて３度繰り返す点が、第１の実施形態と相違する。
【００５７】
本実施形態では、ステップＳ３２８における所定のカウント値を、図７（Ｃ）に示した状態Ｔ７８１、Ｔ７８２、Ｔ７８３に対応する値に設定する。これにより、同期信号タイミング生成部１０３は、それぞれの状態で内挿同期信号生成部１０４に内挿する垂直同期信号の生成を要求する。そして、内挿同期信号生成部１０４は、状態Ｔ７８１、Ｔ７８２、Ｔ７８３の時に、それぞれ内挿する垂直同期信号７６１、７６２、７６３を生成して映像信号出力部１０５に出力する。映像信号出力部１０５は、映像信号入力部１０１からの垂直同期信号ＶＳと内挿同期信号生成部１０４からの内挿垂直同期信号ＶＳＩを合わせて出力することで、出力信号１０８の垂直同期信号ＶＳを生成し出力することができる。
【００５８】
（第４の実施形態）
次に、本発明の第４の実施形態について説明する。
前述した第２の実施形態では、左目用画像データと右目用画像データとが上下に配置されているトップアンドボトムと呼ばれる形式の３Ｄ映像信号を処理する例について説明した。第４の実施形態では、左目用画像データと右目用画像データとが左右に配置されているサイドバイサイド（Side-by-Side）と呼ばれる形式の３Ｄ映像信号を処理する例について説明する。
【００５９】
第４の実施形態に係る映像信号処理装置の構成は、第２の実施形態に係る映像信号処理装置４００と同様であるので、その説明は省略する。ただし、映像信号遅延部４０１は、フレームバッファ等で実装されており、左右交互に入力されてくる各ラインの画像データを１フレーム分蓄え、フレーム単位で左目用画像データと右目用画像データを出力する並び替えの機能を有する。映像信号遅延部４０１は、並び替えに際して水平同期信号の期間を１／２に変更し、垂直同期信号の期間を２倍に変更し映像信号出力部１０５に出力する。
【００６０】
図８は、第４の実施形態に係る映像信号処理装置において入出力される映像信号の一例を示す図である。図８（Ａ）に映像信号処理装置に入力される３Ｄ映像信号を示し、図８（Ｂ）に映像信号処理装置から出力される３Ｄ映像信号を示し、図８（Ｃ）に映像信号処理装置内の内部信号を示している。本実施形態では、映像信号処理装置に入力される３Ｄ映像信号は、ＨＤＭＩで規格化されているインターレースのサイドバイサイド形式の３Ｄ映像信号とする。
サイドバイサイド形式の３Ｄ映像信号は、図８（Ａ）に示す入力映像信号８００のように、１ライン中に左目用画像データのライン８０１と、右目用画像データのライン８０２とを有している。本実施形態における出力映像信号８２０は、図８（Ｂ）に示すように、左目用画像データ８２１と右目用画像データ８２２の順で出力される。また、左目用画像データ８２１と右目用画像データ８２２の間にはブランキング期間８２３を有し、垂直同期信号８２６が内挿されている。なお、垂直同期信号８２５は、映像信号遅延部４０１から出力される垂直同期信号であり、水平同期信号８２４は、映像信号遅延部４０１から出力される水平同期信号である。
【００６１】
出力映像信号８２０のように左目用画像データ８２１と右目用画像データ８２２とに並べ替え、左目用画像データ８２１と右目用画像データ８２２との間にアクティブスペース８２３を設ける。また、そのアクティブスペース８２３間に垂直同期信号８２６を内挿することにより、２Ｄ映像信号と同様に１つの垂直同期期間内に１つのフレームが入力された信号となる。本実施形態によれば、入力される３Ｄ映像信号を２Ｄ映像信号と同様の処理で画像処理を行うことが可能となる。
【００６２】
左右交互に入力されてくる各ラインの画像データを１フレーム分蓄えて、フレーム単位で左目用画像データと右目用画像データを並び替えた後の処理手順は、第１の実施形態とほぼ同様であるので図示を省略する。第１の実施形態と同様に、同期信号タイミング生成部は、ステップＳ３２６にて水平同期信号ＨＳのカウントを開始し、状態Ｔ８６０の時点で所定のカウント値に達し、ステップＳ３２９にて内挿同期信号生成部に内挿する垂直同期信号の生成を要求する。そして、内挿同期信号生成部は、内挿する垂直同期信号８５１を生成して映像信号出力部に出力する。映像信号出力部は、映像信号入力部からの垂直同期信号ＶＳと内挿同期信号生成部からの内挿垂直同期信号ＶＳＩを論理和し出力することで、出力信号の垂直同期信号ＶＳを生成し出力することができる。
【００６３】
なお、前述した第１〜第４の実施形態では、１つの装置が３Ｄ映像信号の１つの形式に対応する例を示した。これに限らず、第１〜第４の実施形態を適宜組み合わせて１つの装置が複数の形式に対応可能なようにし、検出した３Ｄ映像信号の形式により処理を変えるようにしても良い。
【００６４】
（本発明の他の実施形態）
また、本発明は、以下の処理を実行することによっても実現される。即ち、前述した実施形態の機能を実現するソフトウェア（プログラム）を、ネットワーク又は各種記憶媒体を介してシステム或いは装置に供給し、そのシステム或いは装置のコンピュータ（またはＣＰＵやＭＰＵ等）がプログラムを読み出して実行する処理である。
【００６５】
例えば、第１〜第４の実施形態に示した映像信号処理装置は、図９に示すようなコンピュータ機能９００を有し、そのＣＰＵ９０１により第１〜第４の実施形態での動作が実施される。
コンピュータ機能９００は、図９に示すように、ＣＰＵ９０１と、ＲＯＭ９０２と、ＲＡＭ９０３とを備える。また、操作部（ＣＯＮＳ）９０９のコントローラ（ＣＯＮＳＣ）９０５と、表示部としてのディスプレイ（ＤＩＳＰ）９１０のディスプレイコントローラ（ＤＩＳＰＣ）９０６とを備える。さらに、ハードディスク（ＨＤ）９１１、及びフレキシブルディスク等の記憶デバイス（ＳＴＤ）９１２のコントローラ（ＤＣＯＮＴ）９０７と、ネットワークインタフェースカード（ＮＩＣ）９０８とを備える。それら機能部９０１、９０２、９０３、９０５、９０６、９０７、９０８は、システムバス９０４を介して互いに通信可能に接続された構成としている。
ＣＰＵ９０１は、ＲＯＭ９０２又はＨＤ９１１に記憶されたソフトウェア、又はＳＴＤ９１２より供給されるソフトウェアを実行することで、システムバス９０４に接続された各構成部を総括的に制御する。すなわち、ＣＰＵ９０１は、前述したような動作を行うための処理プログラムを、ＲＯＭ９０２、ＨＤ９１１、又はＳＴＤ９１２から読み出して実行することで、第１〜第４の実施形態での動作を実現するための制御を行う。ＲＡＭ９０３は、ＣＰＵ９０１の主メモリ又はワークエリア等として機能する。
ＣＯＮＳＣ９０５は、ＣＯＮＳ９０９からの指示入力を制御する。ＤＩＳＰＣ９０６は、ＤＩＳＰ９１０の表示を制御する。ＤＣＯＮＴ９０７は、ブートプログラム、種々のアプリケーション、ユーザファイル、ネットワーク管理プログラム、及び第１〜第４の実施形態における前記処理プログラム等を記憶するＨＤ９１１及びＳＴＤ９１２とのアクセスを制御する。ＮＩＣ９０８はネットワーク９１３上の他の装置と双方向にデータをやりとりする。
【００６６】
なお、前記実施形態は、何れも本発明を実施するにあたっての具体化のほんの一例を示したものに過ぎず、これらによって本発明の技術的範囲が限定的に解釈されてはならないものである。すなわち、本発明はその技術思想、又はその主要な特徴から逸脱することなく、様々な形で実施することができる。
【符号の説明】
【００６７】
１００、４００：映像信号処理装置  １０１：映像信号入力部  １０２：映像形式検出部  １０３、４０３：同期信号タイミング生成部  １０４：内挿同期信号生成部  １０５：映像信号出力部  ４０１：映像信号遅延部  １１０：画像処理装置
【図１】
2014220702.tif 000003
【図２】
2014220702.tif 000004
【図３】
2014220702.tif 000005
【図４】
2014220702.tif 000006
【図５】
2014220702.tif 000007
【図６】
2014220702.tif 000008
【図７】
2014220702.tif 000009
【図８】
2014220702.tif 000010
【図９】
2014220702.tif 000011